(57)【要約】　　　（修正有）【課題】板材を折り畳んだ構造として輸送する際に板材が抜けることがなく確実に輸送でき、また、大きい寸法の板材においても組み立て施工がし易い折り畳み用治具を提供し、これを用いた折り畳み可能な収納を提供する。【解決手段】折り畳み用治具５を板材６ａの木口面に設けた穴７に抜け防止構造５２１を有する一方の端部５２を押し込んで固定する。また、一方の端部５３は他の板材６ｂの木口面に設けた穴８に挿入し、固定部材９により固定する。この状態から収納として組み立てる場合には、固定部材９を緩めて固定部５３１から取り外し、移動自在となった固定部５３１を板材６ｂからわずかに引き出す。その状態で他の板材６ａを９０°回転させた後、再度固定部材５３１を板材６ｂに挿入し、固定部材９により固定する。【選択図】　図４
2004108480.tif 000002
【特許請求の範囲】
【請求項１】
１箇所以上の回転可能なジョイント部を有する棒状体であって、少なくとも一方の端部は固定部材により固定可能となる固定部を有することを特徴とする折り畳み用治具。
【請求項２】
該固定部が鍔状である請求項１に記載の折り畳み用治具。
【請求項３】
請求項１又は２に記載の折り畳み用治具を板材の木口面に挿入し、該板材の表面部から挿入した固定部材により該折り畳み用治具の該固定部を固定したことを特徴とする収納。
【請求項４】
該板材の該折り畳み用治具挿入部分に、該折り畳み用治具を収容可能とする切り欠きを設けた請求項３に記載の収納。
【発明の詳細な説明】
【０００１】
【発明の属する技術分野】
本発明は、折り畳み可能な収納に用いられる治具及びこれを使用した収納に関する。
【０００２】
【従来の技術】
従来、玄関収納、タンス、リビング家具等の収納は、地板、天板、側板、背板等の複数の板部材により組み立てられている。
近年、製造コストを低減するために、東南アジア諸国等における海外生産が主流となっている。この海外生産においては、原木から切り出された木質材を所定の寸法に加工して、接着剤やくぎ等を使用して収納として組み立てた製品が輸入されている。
【０００３】
収納は一般的には箱状体であるため、この状態で輸送するとスペースロスが大きく、輸送コストが高くなってしまう。
また、輸送時のスペースロスを低減するために、海外で所定の寸法に加工した板材をその状態で輸送し、国内において組み立てることも考えられるが、やはり組み立て工程のコストが高くなったり、種々の寸法の板材を管理することも非常に労力がかかることになる。
【０００４】
こうした問題を解決するために、種々の検討も行われている。
例えば、板材に蝶番状の部材を取り付けて折り畳み可能となるようにした構造（特許文献１参照）や、回転可能なジョイントを有する接合具を板材の木口面に設けたダボ穴に浅く嵌挿して折り畳み可能となる構造（特許文献２参照）として、輸送時にスペースロスを無くそうとするものが提案されている。
【０００５】
しかしながら、例えば上記従来技術の蝶番状の部材では、板材表面部から蝶番状の部材が突出するために折り畳んだ構造を段積みすることが困難で、板材表面に傷を付けてしまう欠点があり、また、回転可能なジョイントを有する接合具ではダボ穴に浅く嵌挿するため段積みや輸送時に抜けてしまったり、板材が大きい寸法となると組み立て施工時に強く打ち込む作業をすることも困難となってしまう。
【０００６】
【特許文献１】
特開平８−２５２１１８号公報（第３図、第４図）
【特許文献２】
特開２００２−２４２５３８号公報（第１図〜第７図）
【０００７】
【発明が解決しようとする課題】
本発明は、板材を折り畳んでスペースロスを低減して輸送する際に、板材が抜けることがなく確実に輸送でき、また、大きい寸法の板材においても組み立て施工がし易い折り畳み用治具を提供するとともに、これを用いた折り畳み可能な収納を提供することにある。
【０００８】
【課題を解決するための手段】
本発明は、１箇所以上の回転可能なジョイント部を有する棒状体であって、少なくとも一方の端部は固定部材により固定可能となる固定部を有することを特徴とする折り畳み用治具を提供するものである。
また、この折り畳み用治具を板材の木口面に挿入し、板材の表面部から挿入した固定部材により折り畳み用治具の固定部を固定したことを特徴とする収納を提供するものである。
【０００９】
【発明の実施の形態】
以下、本発明を図面を参照しながら説明する。
図１は地板１、側板２、天板３、背板４の板材を組み立てた収納を示す。例えば、大きな玄関収納であれば幅８００ｍｍ、奥行４００ｍｍ、高さ１８００ｍｍであり、地板１、側板２、天板３の各板材の厚さは１５〜２０ｍｍである。背板４の厚さはこれよりも薄いものでも、同様の厚さのものでも良い。
【００１０】
図２は、図１に示す収納の場合に、背板４（例えば１５〜２０ｍｍの厚さ）の周囲に地板１、側板２、天板３を結合した状態で折り畳む構成とした場合の模式図を示す。
【００１１】
これに使用する折り畳み用治具５の一実施形態を図３に示す。この折り畳み用治具５の形状は棒状体であり、断面略円形状であっても略矩形状であっても良いが、この治具を挿入可能な穴を板材の木口面に設けることを考慮すると丸棒状体であることが好ましく、各板材が上述したような寸法の場合であれば、丸棒状体の径としては６〜８ｍｍ程度とすれば良い。
【００１２】
折り畳み用治具５の材質には特に制限はないが、板材を折り畳んだ場合や収納として組み立てた際の強度を確保する点からは金属製の材質が好ましく、防錆効果や軽量化の点からはアルミニウムが好ましい。
【００１３】
折り畳み用治具５には回転可能なジョイント部５１を有しており（この例では１箇所）、一方向に略１８０°回転可能な構造となっているが、ジョイント部が球状で略全ての方向に対して回転可能な構造であっても良い。
【００１４】
折り畳み用治具５の一方の端部５２は、板材の木口面に設けた穴に挿入した時に抜けないように、抜け防止構造５２１を有している。また、一方の端部５３は、後述する固定部材により固定可能となる固定部５３１を有し、この例では鍔状の構造を有している。
【００１５】
組み立て手順としては、まず、この折り畳み用治具５を図４ａに示すように板材６ａの木口面に設けた穴７に挿入するが、この穴７は折り畳み用治具５の抜け防止構造５２１を有する一方の端部５２を押し込んで固定することができる径となっている。
【００１６】
また、一方の端部５３は他の板材６ｂの木口面に設けた穴８に挿入するが、この穴８は折り畳み用治具５の端部５３が自在に出し入れできる径となっている。そして、板材６ａと６ｂの木口面同士が密着した状態で固定部５３１が位置する箇所に、固定部材９が挿入可能となる穴１０が板材６ｂの表面部から厚さ方向の略中央部まで設けられている（図４ｂ参照）。
【００１７】
この穴１０から固定部材９を挿入して折り畳み用治具５の固定部５３１を固定する場合に、固定部材９を回して固定部５３１と固定し易くするために固定部５３１が鍔状であり、固定部材９はこの鍔状の固定部５３１をくわえ込むような切り欠き部を有する部材とすることが好ましく、鍔状のテーパ部分同士の相互作用により確実に固定することができる（図４ｃ参照）。
【００１８】
このようにして、図２に示すように背板４の周囲に地板１、側板２、天板３を略面一に固定した状態とすることにより、段積みしてもスペースロスを著しく低減することができ、しかも、組み立てに使用する種々の板材が一体となっているため、それぞれの部品管理の労力も低減されることになる。
【００１９】
次に、上記略面一状態で輸送された板材を組み立てるには、図５に示すように固定部材９を緩めて固定部５３１との係合を解除し（図５ａ）、移動自在となった固定部５３１を板材６ｂからわずかに引き出す（図５ｂ）。その状態で他の板材６ａを９０°回転させた後（図５ｃ）、再度固定部５３１を板材６ｂに挿入して、固定部材９により固定する（図５ｄ）。
【００２０】
この場合、回転して屈折した時に折り畳み用治具５が板材６ａの障害とならないように、板材６ａに折り畳み用治具５を収容可能とする切り欠き１１を設けておくことにより、板材６ｂの木口面と板材６ａの表面部が密着して簡単に収納として組み立てることができる。
なお、このままの状態で収納を使用した場合は、例えばリフォーム時に収納を再度解体することも容易となる。
もちろん、両板材６ａ、６ｂを接着剤やくぎ等で固定して、半永久的に収納として使用するようにしても構わない。
【００２１】
上述した例によれば、全ての板材が略同等の厚さを有している収納に好適であるが、背板がベニヤ板のように薄い場合には、他の実施形態を採ることも可能である。
【００２２】
すなわち、図６に示すように背板４は別にして、地板１、側板２（側板２ａ、側板２ｂ）、天板３のみを折り畳み用治具で固定する方法を採る。
この場合には、例えば地板１の一方の側と側板２ａの一方の側（又は側板２ｂの一方の側と天板３の一方の側）とは、それぞれ上述した折り畳み用治具５を使用して上述したのと同様に結合するが、他方の側には図７に示すように回転可能なジョイント部１２１ａ、１２１ｂを２箇所有した構造の折り畳み用治具１２を使用する。
ここで、ジョイント部１２１ａと１２１ｂとの距離は、板材同士を折り畳んで重ねた際に密着するような間隔としてある。
なお、この折り畳み用治具１２においても上述した治具と同様に、一方の端部１２２は抜け防止構造１２２１となっており、他方の端部１２３は固定部１２３１を有した構造となっている。
【００２３】
組み立ての手順としては、例えば図８に示すように折り畳み用治具５の抜け防止構造５２１を有する側の端部５２を側板２ａの木口面に設けた穴７に押し込んで固定し、他方の端部５３を地板１の木口面に設けた穴８に挿入して、地板１の表面部から厚さ方向の略中央部まで設けられた穴１０から固定部材９を挿入して、折り畳み用治具５の端部５３の固定部５３１を固定する（図８ａ参照）。
同様にして、天板３と側板２ｂとを折り畳み用治具５により結合する（図８ｂ参照）。
こうして、地板１と側板２ａ、天板３と側板２ｂが、それぞれ略面一状に固定された状態となる。
【００２４】
次に、折り畳み用治具１２を「コ」の字状に屈折させた状態として、折り畳み用治具１２の抜け防止構造１２２１を有する側の端部１２２を側板２ａの木口面に設けた穴７に押し込んで固定し、他方の端部１２３を折り畳み用治具１２の端部１２３を天板３の木口面に設けた穴８に挿入する。そして、天板３の表面部から厚さ方向の略中央部まで設けられた穴１０から固定部材９を挿入して、折り畳み用治具１２の端部１２３の固定部１２３１を固定する（図８ｃ）。
同様にして、側板２ｂと地板１とを折り畳み用治具１２により結合する。
こうして、地板１、側板２ａ、２ｂ、天板３が、図６に示すように折り畳まれた状態となる。
【００２５】
この状態で輸送された収納部材を収納として組み立てる場合には、固定部１２３１を固定している固定部材９を緩めて、地板１と側板２ａとの結合状態、及び側板２ｂと天板３との結合状態を維持しながら、それぞれ組となった部材同士を抜き出して分離する（図９ａ、図９ｂ参照）。
【００２６】
次に、上述した例と同様にして、固定部５３１を固定している固定部材９を緩め、地板１と側板２ａの折り畳み用治具５と、側板２ｂと天板３の折り畳み用治具５により、地板１と側板２ａ、側板２ｂと天板３を「Ｌ」字状として組み立てる（図１０参照）。
【００２７】
各板材から引き出されている固定部１２３１を有する折り畳み用治具１２は、「コ」の字状の状態から「Ｌ」字状の状態へと変形させる（図１１ａ参照）。
そして、再度それぞれの板材へ固定部１２３１を挿入し、固定部材９により固定することにより（図１１ｂ参照）、地板１、側板２ａ、側板２ｂ、天板３が四角の枠状として組み立てられることになり（図１２参照）、必要に応じて背板４を取り付けて収納とすることができる。
【００２８】
なお、折り畳み用治具５、１２が固定又は挿入される各板材の部分には、回転して屈折した状態の折り畳み用治具５、１２を収容可能とする切り欠き１１が設けられている。
【００２９】
また、固定部１２３１が挿入されている板材には、固定部材９を挿入するための穴１０が設けられているが、図６に示すような輸送時の状態でも、図１２に示すような収納として組み立てた状態でも、この穴１０は共通の箇所とすることができるのでそれぞれの場合に応じて設ける必要はない。
【００３０】
上述した例によれば、本発明の折り畳み用治具は少なくとも一方の端部は固定部材により固定可能となる固定部を有し、他方の端部は抜け防止構造を有しているが、他方の端部も固定部材により固定可能となる固定部を有する構造とすることでも、もちろん構わない。
【００３１】
【発明の効果】
以上、詳細に説明したように、本発明による折り畳み用治具を使用することにより、輸送時のスペースロスを低減することができるとともに、収納として組み立てる時にも簡便に組み立てられるので、輸送コスト、部材管理、組立コストを大幅に改善することができる。
【００３２】
また、少なくとも一方の端部には固定部材により固定可能となる固定部を有していることから、他方の抜け防止構造を有する端部を仮止め程度に挿入して固定する必要はなく確実に固定できるため、輸送時等に板材が抜けることもない。さらに、折り畳み用治具は木口面に挿入されて板材の外側に突出することもないため、板材を段積みしてもその表面部に損傷を与えることもない。
【図面の簡単な説明】
【図１】収納の外観図。
【図２】背板の周囲に地板、側板、天板を結合した状態を示す外観図。
【図３】本発明による折り畳み用治具の一実施形態を示す模式図。
【図４】板材を折り畳んだ状態に組み立てた組立図。
【図５】輸送された板材を収納として組み立てる手順を示す工程図。
【図６】板材を折り畳んだ状態に組み立てた組立図。
【図７】本発明による折り畳み用治具の他の実施形態を示す模式図。
【図８】輸送時に板材を組み立てる手順を示す工程図。
【図９】輸送された板材を収納として組み立てる手順を示す工程図。
【図１０】輸送された板材を収納として組み立てる手順を示す工程図。
【図１１】輸送された板材を収納として組み立てる手順を示す工程図。
【図１２】輸送された板材を収納として組み立てる手順を示す工程図。
【符号の説明】
１　地板
２、２ａ、２ｂ　側板
３　天板
４　背板
５　折り畳み用治具
５１　回転可能なジョイント部
５２　端部
５２１　抜け防止構造
５３　端部
５３１　固定部
６ａ、６ｂ　板材
７　穴
８　穴
９　固定部材
１０　穴
１１　切り欠き
１２　折り畳み用治具
１２１ａ、１２１ｂ　回転可能なジョイント部
１２２　端部
１２２１　抜け防止構造
１２３　端部
１２３１　固定部
【図１】
2004108480.tif 000003
【図２】
2004108480.tif 000004
【図３】
2004108480.tif 000005
【図４】
2004108480.tif 000006
【図５】
2004108480.tif 000007
【図６】
2004108480.tif 000008
【図７】
2004108480.tif 000009
【図８】
2004108480.tif 000010
【図９】
2004108480.tif 000011
【図１０】
2004108480.tif 000012
【図１１】
2004108480.tif 000013
【図１２】
2004108480.tif 000014